(57)【要約】【課題】  オプション選択時のイメージを正確に伝え、顧客が納得できる仕様を迅速かつ容易に決定するエレベータパース画像作成システムを提供する。【解決手段】  パース画像生成サーバ１０と複数のクライアント４０，６０とからなり、パース画像生成サーバ１０が、エレベータの各種オプションに対応した高解像度部品画像データべース１１と、入力仕様に基づき部品画像データを選択しエレベータの暫定パース画像を合成するとともに決定仕様に基づきエレベータの高解像度パース画像を合成する３次元画像合成手段１２とを含み、クライアント４０，６０が、ユーザが満足するまでエレベータの仕様を繰り返し入力させパース画像生成サーバ１０に送る仕様決定手段と、入力仕様に基づき合成された暫定パース画像をパース画像生成サーバ１０から受信し表示する表示手段と、決定仕様に基づき合成された高解像度パース画像をパース画像生成サーバ１０から受信し出力する出力手段とを含む。【選択図】        図２
2006318167.tif 000002
【特許請求の範囲】
【請求項１】
通信回線により接続されたパース画像生成サーバと複数のクライアントとからなるエレベータパース画像作成システムであって、
前記パース画像生成サーバが、エレベータの各種オプションに対応した高解像度部品画像データべースと、入力された仕様に基づき前記部品画像データを選択しエレベータの暫定パース画像を合成するとともに決定された仕様に基づきエレベータの高解像度パース画像を合成する３次元画像合成手段とを含み、
前記クライアントが、ユーザが満足するまでエレベータの仕様を繰り返し入力させ前記パース画像生成サーバに送る仕様決定手段と、入力仕様に基づき合成された暫定パース画像を前記パース画像生成サーバから受信し表示する表示手段と、決定された仕様に基づき合成された高解像度パース画像を前記パース画像生成サーバから受信し出力する出力手段とを含むエレベータパース画像作成システム。
【請求項２】
請求項１に記載のエレベータパース画像作成システムにおいて、
前記パース画像生成サーバの３次元画像合成手段が、３次元合成したパース画像をＪＰＥＧ画像に圧縮して送信する画像圧縮手段を備えたことを特徴とするエレベータパース画像作成システム。
【請求項３】
請求項１または２に記載のエレベータパース画像作成システムにおいて、
前記クライアントが、エレベータ仕様を発信し暫定パース画像を受信するとともに、決定された仕様の高解像度パース画像を受信するパソコンであることを特徴とするエレベータパース画像作成システム。
【請求項４】
請求項１または２に記載のエレベータパース画像作成システムにおいて、
前記クライアントが、エレベータ仕様を発信し暫定パース画像を受信するパソコンと、少なくとも決定された仕様の高解像度パース画像を受信する別のパソコンとからなることを特徴とするエレベータパース画像作成システム。
【請求項５】
請求項１または２に記載のエレベータパース画像作成システムにおいて、
前記クライアントが、エレベータ仕様を発信し暫定パース画像を受信する携帯端末と、少なくとも決定された仕様の高解像度パース画像を受信する別のパソコンとからなることを特徴とするエレベータパース画像作成システム。
【請求項６】
請求項１または２に記載のエレベータパース画像作成システムにおいて、
前記クライアントが、エレベータ仕様を発信し暫定パース画像を受信するパソコンと、少なくとも決定された仕様の高解像度パース画像を受信する携帯端末とからなることを特徴とするエレベータパース画像作成システム。
【請求項７】
請求項１または２に記載のエレベータパース画像作成システムにおいて、
前記クライアントが、エレベータ仕様を発信し暫定パース画像を受信するとともに、決定された仕様の高解像度パース画像を受信する携帯端末であることを特徴とするエレベータパース画像作成システム。
【請求項８】
請求項１または２に記載のエレベータパース画像作成システムにおいて、
前記クライアントが、エレベータ仕様を発信し暫定パース画像を受信する携帯端末と、少なくとも決定された仕様の高解像度パース画像を受信する別の携帯端末とからなることを特徴とするエレベータパース画像作成システム。
【請求項９】
請求項６ないし８のいずれか一項に記載のエレベータパース画像作成システムにおいて、
高解像度パース画像を受信する前記携帯端末が、カメラ付き(大容量メモリ付き)携帯電話であることを特徴とするエレベータパース画像作成システム。
【請求項１０】
請求項１ないし９のいずれか一項に記載のエレベータパース画像作成システムにおいて、
前記クライアントが、仕様表／エレベータかご内前面パース画像／エレベータかご内背面パース画像／エレベータホールパース画像を選択し組み合わせる手段を備えたことを特徴とするエレベータパース画像作成システム。
【請求項１１】
請求項１ないし１０のいずれか一項に記載のエレベータパース画像作成システムにおいて、
前記クライアントが、エレベータのビル用／病院用／家庭用仕様に応じて手すりを含むパース画像の視点角度を指定する手段を備えたことを特徴とするエレベータパース画像作成システム。
【請求項１２】
請求項３，４，５，９，１０，１１のいずれか一項に記載のエレベータパース画像作成システムにおいて、
前記クライアントが、複数仕様の仕様表／パース画像の組を候補として並列表示するタイリング表示手段を備えたことを特徴とするエレベータパース画像作成システム。
【発明の詳細な説明】
【技術分野】
【０００１】
本発明は、エレベータパース画像作成システムに係り、特に、顧客の要望に応じてオプションを種々選択したときのイメージを正確に伝え、顧客が納得できる仕様を迅速かつ容易に決定する手段に関する。
【背景技術】
【０００２】
サーバが、クライアントから受信した住空間情報および３次元シミュレーション条件に基づいて精細パース画像データを生成する手段と、その精細パース画像データを間引いてデータ量を削減した間引きパース画像データを生成する手段とを有し、まず間引きパース画像データをクライアントに伝送し、その後に精細パース画像データをクライアントに伝送する住空間プレゼンテーションシステムが提案されている(例えば、特許文献１参照)。
【０００３】
また、既設エレベータの改修に関して、予め記憶したビル設備およびスキャナーで読み取った設置場所の３次元画像データを表示部に表示させ、作成者が、表示された画像の中から所望の画像を一組選択し、その一部分の色，素材の光学的な材質，表面の模様の画像を選択し、スキャナーで読み取った設置場所の画像の一部分を先に選択したビル設備および設置場所の３次元画像の一部分にはめ込み、ビル設備とその設置場所の提案意匠の３次元画像の画像データを生成し、３次元画像処理後に転送し表示された２次元画像を作成者が見て、所望の視点および光源の位置を選択し、生成された２次元画像の画像データにより記録紙上に提案意匠画像をプリントアウトするエレベータの提案意匠画像の作成装置が提案されている(例えば、特許文献２参照)。
【０００４】
さらに、ユーザが、かご室内，乗場ドア，三方枠，天井の各個所について色彩を設定するための色彩名表示欄，メニュー表示ボタン，色合わせボタンをクリックしてプルダウンメニューを表示させ、所望の色彩などを選択できるエレベータの新規設置仕様設定支援システムも提案されている(例えば、特許文献３参照)。
【０００５】
【特許文献１】特開平０８−１１５３５４号公報  (第３〜４頁  図１，図６)
【特許文献２】特開平０９−０４４５５４号公報  (第３〜４頁  図１〜図４)
【特許文献３】特開２００３−１７１０６９号公報  (第７〜９頁，第１６〜１７頁  図１，図２，図２２)
【発明の開示】
【発明が解決しようとする課題】
【０００６】
特許文献１の住空間プレゼンテーションシステムは、電話回線を利用するモデムやＩＳＤＮが主流で通信回線の速度が遅い時代に、待ち時間を短縮する一解決策を示していた。しかし、ＡＤＳＬや光ファイバが主流となりつつある現状においては、その意義は少なくなった。
【０００７】
一方、決定された仕様に基づく最終的なプリントアウトが、１５０ｄｐｉ程度の精細度を必要とするのに対して、液晶画面などの表示手段は、プリントアウトの約半分の７２ｄｐｉ程度でも十分精細に見えるので、精細パース画像データを生成し、その精細パース画像データを間引いてデータ量を削減した間引きパース画像データを生成し、間引きパース画像データをまず伝送し、その後に精細パース画像データを伝送する特許文献１の手順は、表示手段上の仕様決定までの間に、出力手段用の精細パース画像データのむだな生成／伝送を繰り返していることになる。
【０００８】
特許文献２の提案意匠画像の作成装置においては、作成者が視認しながら操作して提案意匠画像を作成するために、専任のオペレータが必要であり、運用コストが掛かっていた。また、パース画像作成の要求が集中した場合は、パース画像の完成が翌日以降に延び、営業マンも顧客も種々のバリエーションを試せないまま待たされることも多かった。
【０００９】
特許文献３のエレベータの新規設置仕様設定支援システムにおいては、画像の精細度とそれに対応する伝送データ量について何の配慮もしていない。また、複数候補のリストを作成できるが、相互に見比べるための手段がない。印刷したカタログの場合は、複数のシートを並べて相互に比較できるが、引用文献３を含めて液晶画面などの表示手段に候補を表示する場合は、スクロールするかPageUp／PageDownボタンなどでページめくりをしなければ、複数の候補を見られず、候補を素早く切り換えて残像で比べるしかなかった。
【００１０】
複数候補をじっくり見て仕様を絞り込もうと各候補をプリントアウトして並べると、結局、従来の紙カタログによる方法と変わらず、むだが多かった。
【００１１】
なお、カタログの紙資源およびコスト削減のために、エレベータ製造／販売会社の営業所で営業する社員や社外でセールスする営業マンに、紙カタログを持たせず、電子カタログと、内部でそのカタログデータを参照してパース画像を合成する３次元画像合成プログラムとを格納したパソコンをそれぞれ持たせることも考えられる。
【００１２】
しかし、各パソコンは、３次元画像合成に見合った処理能力を備えなければならず、携帯電話には基本的にその能力はない。また、モデルチェンジや設計データの変更がある場合または３次元画像合成プログラムのバージョンアップがある場合に、個別にデータまたはプログラムを入れ替える必要があり、たとえオンラインで各自入れ替えるように指示を出しても、入れ替えを忘れたりして古いデータに基づき営業をしてしまうおそれもある。
【００１３】
さらに、顧客すなわちビルや住宅の施主自身のパソコンや携帯電話などからエレベータの仕様を種々変えて試してみることはできなかった。
【００１４】
本発明の課題は、顧客の要望に応じてオプションを種々選択したときのイメージを正確に伝え、専任のオペレータを置かなくても、顧客が納得できる仕様を迅速かつ容易に決定する手段を備えたエレベータパース画像作成システムを提供することである。
【課題を解決するための手段】
【００１５】
本発明は、上記課題を解決するために、通信回線により接続されたパース画像生成サーバと複数のクライアントとからなるエレベータパース画像作成システムであって、パース画像生成サーバが、エレベータの各種オプションに対応した高解像度部品画像データべースと、入力された仕様に基づき部品画像データを選択しエレベータの暫定パース画像を合成するとともに決定された仕様に基づきエレベータの高解像度パース画像を合成する３次元画像合成手段とを含み、クライアントが、ユーザが満足するまでエレベータの仕様を繰り返し入力させパース画像生成サーバに送る仕様決定手段と、入力仕様に基づき合成された暫定パース画像をパース画像生成サーバから受信し表示する表示手段と、決定された仕様に基づき合成された高解像度パース画像をパース画像生成サーバから受信し出力する出力手段とを含むエレベータパース画像作成システムを提案する。
【発明の効果】
【００１６】
本発明によれば、顧客の要望に応じてオプションを種々選択したときのイメージを正確に伝え、専任のオペレータを置かなくても、顧客が納得できる仕様を迅速かつ容易に決定することが可能となる。
【発明を実施するための最良の形態】
【００１７】
次に、図１〜図９を参照して、本発明によるエレベータパース画像作成システムの実施例を説明する。
【００１８】
なお、本明細書で、ユーザとは、エレベータ製造／販売会社の営業所でパソコンを使って営業する社員、ノートパソコンおよび携帯電話を含む携帯端末を利用して社外でセールスする営業マン、自分のパソコンまたは携帯端末からサーバにアクセスする顧客のいずれかを意味する。
【００１９】
また、特許出願システムのモノクロ図面の制約上、図８以外は、白黒２値の図面となっているが、液晶表示装置などの表示手段およびカラープリンタなどの出力手段で得られる実際の３次元パース画像は、グラデーションを伴ったきれいなフルカラー画像である。
【００２０】
図１は、本発明によるエレベータパース画像作成システムの概要を示す図である。
【００２１】
ユーザがパソコンまたは携帯端末から仕様を入力すると、本発明によるエレベータパース画像作成システムのパース画像生成サーバの３次元画像合成手段は、その仕様に基づいて高解像度部品データベースから指定された部品の画像データを選択し、液晶表示装置などの表示手段用(プレビュー用)の３次元暫定パース画像を合成し、ユーザが指定したパソコンまたは携帯端末に送信する。
【００２２】
ユーザは、送られてきた３次元暫定パース画像を見ながら、エレベータホールパース画像，エレベータかご内前面パース画像，エレベータかご内背面パース画像，(必要ならば、病院／介護施設向けエレベータかご内の手すりパース画像)について、納得できるまで仕様変更を繰り返す。
【００２３】
ユーザが、仕様を決定した段階でダウンロードボタンを押すと、パース画像生成サーバの３次元画像合成手段は、決定された仕様に基づいて高解像度部品データベースから指定された部品の画像データを選択し、高精細表示装置またはカラープリンタなどの出力手段用の高解像度３次元パース画像を合成し、ユーザが指定したパソコンまたは携帯端末に送信する。
【００２４】
受信したパソコンまたは携帯端末では、高解像度３次元パース画像を高精細表示装置に表示し、または、カラープリンタまたはフォト／ビデオプリンタなどでプリントアウトする。高解像度部品データベースは解像度を高めに設定してあるので、エレベータの高精細な３次元パース画像が得られる。
【００２５】
ダウンロードに際しては、プレゼンテーション用または契約書用画像や表計算ソフトウエア用部材リストも併せて送受信してもよい。
【００２６】
３次元暫定パース画像データも高解像度３次元パース画像データも、高解像度部品データベースからの各部品の画像データをレイヤとして取り扱い、奥にある部品のレイヤから順に積み重ね、各レイヤで部品画像がある領域以外は透明化して合成する。
【００２７】
また、合成した３次元暫定パース画像データおよび高解像度３次元パース画像データは、トラフィック量を削減するために、ＪＰＥＧ圧縮して送受信する。
【実施例１】
【００２８】
図２は、本発明によるエレベータパース画像作成システムの全体構成の一例を示すブロック図である。
【００２９】
本実施例１のエレベータパース画像作成システムは、基本的に、インターネットなどの通信回線３０により接続されたパース画像生成サーバ１０と複数のクライアント４０，６０とからなる。
【００３０】
パース画像生成サーバ１０は、エレベータの各種オプションに対応した高解像度部品画像データべース１１と、入力された仕様に基づき部品画像データを選択しエレベータの暫定パース画像を合成するとともに決定された仕様に基づきエレベータの高解像度パース画像を合成する３次元画像合成手段１２とを含む。
【００３１】
パース画像生成サーバ１０は、直接または間接に設計部門サーバ２０に接続され、エレベータのモデルチェンジや設計データの変更がある場合または３次元画像合成プログラムのバージョンアップがある場合に、データまたはプログラムをパース画像生成サーバ１０だけで入れ替えれば、その変更やバージョンアップの結果は、クライアント４０，６０側に直ちに反映されるので、それぞれのクライアント４０，６０を改変する必要はない。エレベータのモデルチェンジや設計データの変更がある場合または３次元画像合成プログラムのバージョンアップがある場合に、部品データまたはプログラムをパース画像生成サーバ１０だけで入れ替えれば、その変更やバージョンアップの結果は、クライアント４０，６０側に直ちに反映されるので、それぞれのクライアント４０，６０を改変する必要はない。
【００３２】
クライアントは、パソコン４０、または、ノートパソコンや携帯電話を含めた携帯端末６０である。
【００３３】
クライアントのうちパソコン４０は、後述の図４に示した画面を表示する液晶表示装置などの表示手段と、ユーザが満足するまでエレベータの仕様を繰り返し入力させるキーボードまたはポインティングデバイスと、入力された仕様をパース画像生成サーバ１０に送る通信手段とからなる仕様決定手段を備えている。
【００３４】
前記表示手段は、入力仕様に基づき合成された暫定パース画像をパース画像生成サーバ１０から通信手段を介して受信し表示する表示手段でもあり、決定された仕様に基づき合成された高解像度パース画像をパース画像生成サーバ１０から通信手段を介して受信し出力する出力手段でもある。ハードコピーをプリントアウトしたいときには、カラープリンタ５０が最終的な出力手段となる。
【００３５】
クライアントのうち携帯端末６０は、後述の図４に示した画面を表示する液晶表示装置などの表示手段と、ユーザが満足するまでエレベータの仕様を繰り返し入力させるキーボードまたはポインティングデバイスと、入力された仕様をパース画像生成サーバ１０に送る無線通信手段とからなる仕様決定手段を備えている。
【００３６】
前記表示手段は、入力仕様に基づき合成された暫定パース画像をパース画像生成サーバ１０から無線通信手段を介して受信し表示する表示手段でもあり、決定された仕様に基づき合成された高解像度パース画像をパース画像生成サーバ１０から無線通信手段を介して受信し出力する出力手段でもある。
【００３７】
ハードコピーをプリントアウトしたいときには、ポータブルのフォトプリンタ／ビデオプリンタ７０を最終的な出力手段として転用してもよいし、出先のカラープリンタを一時的に借用することもできる。
【００３８】
本発明においては、パース画像生成サーバ１０が、パース画像合成作業を一元的に担当するので、パース画像生成サーバ１０の３次元画像合成手段１２は、トラフィック量をより一層削減するために、３次元合成したパース画像をＪＰＥＧ画像に圧縮して送信する画像圧縮手段を備えることが望ましい。
【００３９】
図３は、本発明のエレベータパース画像作成システムにおけるパース画像生成手順の一例を示すフローチャートであり、図４は、本発明の仕様入力画面およびパース画像受信画面の一例を示す図である。
【００４０】
ユーザは、パソコン４０または携帯端末６０から、基本仕様および部材仕様を入力する。基本仕様には、かご内／ホール，用途，サイズ，パッケージなどの項目があり、部材仕様には、床，ドア・側板・幅木，天井，縦型操作盤，気配り操作盤，横型操作盤，防犯窓などの項目がある。
【００４１】
ユーザは、確認したいエレベータホールパース画像(図５)，エレベータかご内前面パース画像(図６)，エレベータかご内背面パース画像(図７)，必要ならば、病院／介護施設向けエレベータかご内の手すりパース画像(図８)に応じて、ホール画面合成，前面画面合成，背面画面合成，手すり画面合成のいずれかを見る視点角度を選択し、クリックする。
【００４２】
パース画像生成サーバ１０の３次元画像合成手段１２は、入力された仕様および視点角度に基づき、高解像度部品画像データべース１１から部品画像データを選択し、エレベータの暫定パース画像を合成し、ＪＰＥＧ画像に圧縮してユーザのパソコン４０または携帯端末６０に送信する。
【００４３】
ユーザのパソコン４０または携帯端末６０は、受信したエレベータの暫定パース画像をプレビュー画面として、図４に示すように表示する。
【００４４】
ユーザは、納得できる意匠が完成するまで、パソコン４０または携帯端末６０から、基本仕様および部材仕様を繰り返し入力し、プレビュー画面に表示させ、納得したところで、ダウンロードボタンをクリックする。
【００４５】
パース画像生成サーバ１０の３次元画像合成手段１２は、決定された仕様および視点角度に基づき、高解像度部品画像データべース１１から部品画像データを選択し、エレベータの高解像度パース画像を合成し、ＪＰＥＧ画像に圧縮してユーザのパソコン４０または携帯端末６０に送信する。
【００４６】
ユーザのパソコン４０または携帯端末６０は、受信したエレベータの高解像度パース画像を解凍し、図５〜図８のいずれかに示すように表示する。ハードコピーとして残したいときは、カラープリンタ５０またはフォトプリンタ／ビデオプリンタ７０でプリントアウトする。
【００４７】
高解像度パース画像を合成する際には、プレゼンテーション用または契約書用画像や後述のタイリング表示用画像を併せて合成し、ＪＰＥＧ画像に圧縮してユーザのパソコン４０または携帯端末６０に送信してもよい。
【００４８】
プリントアウト用画像データは、例えば９６０×１２８０ピクセルとし、１５０ｄｐｉで出力すると、縦方向が約２１５ｍｍになり、Ａ４サイズに２画面並べてちょうど良い大きさとなる。画面表示用画像データは、例えば４８０×６４０ピクセルとし、７２ｄｐｉで表示すると、十分精細に見える。
【００４９】
なお、携帯端末６０が、カメラ付き携帯電話である場合には、それなりの記憶容量のメモリを搭載しており、ＱＶＧＡ(quarter video graphics array＝２４０ドット×３２０ドット)の液晶表示装置を備えた機種も出てきているので、エレベータホールパース画像(図５)，エレベータかご内前面パース画像(図６)，エレベータかご内背面パース画像(図７)，病院／介護施設向けエレベータかご内の手すりパース画像(図８)を１枚ずつ表示するには十分役に立つ。
【００５０】
いずれの場合も、画像データのファイル形式は、プレゼンテーションソフトウエアで作成した提案書へのはめ込み活用，画像品質，データ量を考慮し、互換性が高く色数が豊富で高圧縮が可能なＪＰＥＧファイルとする。
【００５１】
本実施例１においては、パース画像生成サーバ１０内の３次元画像合成手段１２が、ユーザの仕様入力に応じて画面表示用の暫定画像データを合成するので、表示手段上の仕様決定までの間に出力手段用の精細パース画像データのむだな生成／伝送を繰り返すことがない。
【００５２】
ユーザは、専任のオペレータにたよることなく、満足できるまで、種々の仕様を自分で試すことが可能となり、エレベータパース画像作成システムのトータル運用コストを削減できる。また、パース画像作成の要求が集中しても、パース画像の完成が翌日以降に延びることがなく、決定された仕様に基づき合成された高解像度パース画像をその場で入手できる。
【００５３】
パース画像生成サーバ１０が、３次元画像合成プログラムや高解像度部品画像データを一元的に管理して運用し、ユーザは、全国の支社，営業所，営業マンの出先，顧客のところで作成データのみを取り出す方式なので、エレベータのモデルチェンジや設計データの変更がある場合または３次元画像合成プログラムのバージョンアップがあっても、部品データまたはプログラムをパース画像生成サーバ１０だけで入れ替えれば、その変更やバージョンアップの結果は、クライアント４０，６０側に直ちに反映され、それぞれのパソコン４０や携帯端末６０を改変する必要はない。したがって、営業マンが、部品データの入れ替えを忘れたりして古いデータに基づき営業をしてしまうおそれが無くなる。
【００５４】
本実施例１は、支社または営業所において、クライアントが、エレベータ仕様を発信し暫定パース画像を受信するとともに、決定された仕様の高解像度パース画像を受信するパソコン４０であるシステムを基本とする。
【００５５】
そのほかに、次のような種々の組み合わせで、柔軟なシステム運用が可能である。
【実施例２】
【００５６】
クライアントが、エレベータ仕様を発信し暫定パース画像を受信するパソコン４０Ａと、少なくとも決定された仕様の高解像度パース画像を受信する別のパソコン４０Ｂとからなる。すなわち、仕様決定まで何度もトライアウトするパソコン４０Ａは、出力先を別のパソコン４０Ｂに指定できる。
【実施例３】
【００５７】
クライアントが、エレベータ仕様を発信し暫定パース画像を受信する携帯端末６０と、少なくとも決定された仕様の高解像度パース画像を受信する別のパソコン４０Ｂとからなる。
【実施例４】
【００５８】
クライアントが、エレベータ仕様を発信し暫定パース画像を受信するパソコン４０と、少なくとも決定された仕様の高解像度パース画像を受信する携帯端末６０とからなる。
【実施例５】
【００５９】
クライアントが、エレベータ仕様を発信し暫定パース画像を受信するとともに、決定された仕様の高解像度パース画像を受信する携帯端末６０である。
【実施例６】
【００６０】
クライアントが、エレベータ仕様を発信し暫定パース画像を受信する携帯端末６０Ａと、少なくとも決定された仕様の高解像度パース画像を受信する別の携帯端末６０Ｂとからなる。
【００６１】
実施例４〜６において、少なくとも決定された仕様の高解像度パース画像を受信する別の携帯端末６０は、ノートパソコンまたはそれなりの記憶容量のメモリを搭載しておりＱＶＧＡの液晶表示装置を備えたカメラ付き携帯電話とする。
【実施例７】
【００６２】
クライアントが、仕様表／エレベータかご内前面パース画像／エレベータかご内背面パース画像／エレベータホールパース画像を選択し組み合わせる手段を備える。組み合わせは自由であり、表示位置の順序も変更できる。
【実施例８】
【００６３】
前記クライアントが、エレベータのビル用／病院用／家庭用仕様に応じてエレベータかご内の手すりを含むパース画像の視点角度を指定する手段を備える。特に、病院や介護施設用エレベータの場合は、手すりが病人の安全およびベッド／ストレッチャの移動に関わるので、図８のエレベータかご内の手すりを含むパース画像も指定し表示できるようにする。
【実施例９】
【００６４】
図９は、本発明のタイリング表示手段により、２つの候補を６つのタイル領域に並列表示した状態を示す図である。
【００６５】
クライアントが、複数仕様の仕様表／暫定パース画像の組を候補として並列表示するタイリング表示手段を備えることもできる。
【００６６】
本実施例９においては、それぞれの候補の仕様表／暫定パース画像をメモリに格納しておき、例えば、エレベータかご内前面パース画像／エレベータかご内背面パース画像／エレベータホールパース画像を選択し、３候補の表示する場合は、９個のタイル領域に並列表示する。
【００６７】
２つの候補を６つのタイル領域に並列表示した図９において、下段は、側板の一部およびドアを木目模様とした候補である。
【００６８】
印刷したカタログの場合は、複数のシートを並べて相互に比較できるが、引用文献３を含めて液晶画面などの表示手段に候補を表示する場合は、スクロールするかPageUp／PageDownボタンなどでページめくりをしなければ、複数の候補を見られず、候補を素早く切り換えて残像で比べるしかなかった。
【００６９】
複数候補をじっくり見て仕様を絞り込もうと各候補をプリントアウトして並べると、結局、従来の紙カタログによる方法と変わらず、むだが多かった。
【００７０】
これに対して、本実施例９では、複数候補を並列表示するので、各候補をプリントアウトしなくても、複数候補をじっくり見て仕様を絞り込むことができ、むだがない。
【００７１】
仕様が決定した段階でハードコピーとして残したいときは、ダウンロードボタンをクリックし、カラープリンタ５０またはフォトプリンタ／ビデオプリンタ７０でプリントアウトすればよい。
【図面の簡単な説明】
【００７２】
【図１】本発明によるエレベータパース画像作成システムの概要を示す図である。
【図２】本発明によるエレベータパース画像作成システムの全体構成の一例を示すブロック図である。
【図３】本発明のエレベータパース画像作成システムにおけるパース画像生成手順の一例を示すフローチャートである。
【図４】本発明の仕様入力画面およびパース画像受信画面の一例を示す図である。
【図５】エレベータホールパース画像の一例を示す図である。
【図６】エレベータかご内前面パース画像の一例を示す図である。
【図７】エレベータかご内背面パース画像の一例を示す図である。
【図８】病院／介護施設向けのエレベータかご内における手すりの設置状況を示す２種類のパース画像である。
【図９】本発明のタイリング表示手段により、２つの候補を６つのタイル領域に並列表示した状態を示す図である。
【符号の説明】
【００７３】
１０  パース画像生成サーバ
１１  高解像度部品画像データベース
１２  ３次元画像合成手段
２０  設計部門サーバ
３０  インターネット(通信回線)
４０  パソコン
５０  カラープリンタ
６０  携帯端末・携帯電話
７０  フォト・ビデオプリンタ
【図１】
2006318167.tif 000003
【図２】
2006318167.tif 000004
【図３】
2006318167.tif 000005
【図４】
2006318167.tif 000006
【図５】
2006318167.tif 000007
【図６】
2006318167.tif 000008
【図７】
2006318167.tif 000009
【図８】
2006318167.tif 000010
【図９】
2006318167.tif 000011